(57)【要約】      （修正有）【課題】鍋が、鍋蓋の上方の空間を利用して、同時に他の具材を調理可能にする組み合わせ式ふたを提供する。【解決手段】組み合わせ式ふたは、主に対応し合って開閉する第一蓋体１０及び第二蓋体２０を有する。第一蓋体１０の中心箇所には第一嵌接口１１が設けられ、第二蓋体２０の底部には第一嵌接口１１に対応するように嵌入される少なくとも１つの第一嵌接部２２１が設けられる。需要に応じて第一蓋体１０は対応する鍋に直接載置され、第二蓋体２０により第一蓋体１０の第一嵌接口１１が蓋をされ、鍋が本来有する空間で具材が調理される。または、他の鍋が第一蓋体１０の第一嵌接口１１の箇所に載嵌され、鍋蓋の上方の空間を利用して同時に他の具材を調理できる。【選択図】図６
0003212832.tif 000002
【実用新案登録請求の範囲】
【請求項１】
対応し合って開閉する第一蓋体及び第二蓋体を有する組み合わせ式ふたであって、
前記第一蓋体は、その中心箇所に前記第二蓋体に対応するように嵌接される第一嵌接口が設置され、
前記第二蓋体は、その底部に前記第一嵌接口に対応するように嵌入される少なくとも１つの第一嵌接部が設けられ、前記第一嵌接部に対する外側の位置には前記第一蓋体に密接する少なくとも１つの結合部が形成されることを特徴とする組み合わせ式ふた。
【請求項２】
前記組み合わせ式ふたは少なくとも１つの調理容器を更に有し、前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられることを特徴とする、請求項１に記載の組み合わせ式ふた。
【請求項３】
前記第一蓋体には前記第一嵌接口の外囲に対する部位に前記第二蓋体をロックさせるための複数の留め具が設置されることを特徴とする、請求項１に記載の組み合わせ式ふた。
【請求項４】
前記第一蓋体はその外縁箇所に複数のフック部が凸設されることを特徴とする、請求項１に記載の組み合わせ式ふた。
【請求項５】
前記第一蓋体は前記第一嵌接口の外囲に対する部位に前記第二蓋体をロックさせるための複数の留め具が設置され、且つ前記第一蓋体はその外縁箇所に複数のフック部が凸設されることを特徴とする、請求項１に記載の組み合わせ式ふた。
【請求項６】
前記組み合わせ式ふたは少なくとも１つの調理容器を更に有し、前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられ、前記第一蓋体は前記第一嵌接口の外囲に対する部位に前記第二蓋体をロックさせるための複数の留め具が設置されることを特徴とする、請求項１に記載の組み合わせ式ふた。
【請求項７】
前記組み合わせ式ふたは少なくとも１つの調理容器を更に有し、前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられ、前記第一蓋体はその外縁箇所に複数のフック部が凸設されることを特徴とする、請求項１に記載の組み合わせ式ふた。
【請求項８】
前記組み合わせ式ふたは少なくとも１つの調理容器を更に有し、前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられ、前記第一蓋体は前記第一嵌接口の外囲に対する部位に前記第二蓋体をロックさせるための複数の留め具が設置され、且つ前記第一蓋体はその外縁箇所に複数のフック部が凸設されることを特徴とする、請求項１に記載の組み合わせ式ふた。
【請求項９】
前記第二蓋体の中央箇所にはつまみが設置されることを特徴とする、請求項１乃至８の何れか１項に記載の組み合わせ式ふた。
【請求項１０】
前記第二蓋体は透明部材及び前記透明部材の外縁を包囲させる金属部材で構成され、前記少なくとも１つの第一嵌接部及び前記少なくとも１つの結合部は前記金属部材の箇所に設けられ、前記透明部材の中央箇所にはつまみが設置されることを特徴とする、請求項１乃至８の何れか１項に記載の組み合わせ式ふた。
【考案の詳細な説明】
【技術分野】
【０００１】
本考案は、キッチン用品に関し、更に詳しくは、使用される鍋がその鍋蓋の上方の空間を利用して同時に他の具材を調理可能にする組み合わせ式ふたに関する。
【背景技術】
【０００２】
一般家庭やレストランにおいての具材の調理方法には様々あり、多様な鍋を用意して様々な調理法や加熱法に使用している。また、対応する鍋蓋を有することで所定の鍋の加熱条件が形成される。多くある鍋の中でも、電気調理鍋が常用される鍋の１つとなっている。
【０００３】
電気調理鍋には保温機能があり、また、火の心配をする必要がない。炊飯のみならず、具材を煮る、スープを作る、煮物の調理、お菓子やプリンの調理等にも使用できる。
【考案の概要】
【考案が解決しようとする課題】
【０００４】
しかしながら、電気調理鍋は電気エネルギーを利用して加熱を行うため、通常は炊飯や食物の調理に長い時間がかかり、電気調理鍋を使用して同時に複数の具材を順番に加熱する場合、多く時間とエネルギーを費やした。このため、電気調理鍋で同時に複数の具材を調理するための付属品が数多く登場した。従来の付属品は主に複数の具材を層に分けて重置する方式で電気調理鍋の本来有する空間内に配置させている。なお、これでは、具材の分量が圧縮されないのみならず、本来の炊飯機能も制限を受けてしまう。
【０００５】
そこで、本考案者は上記の欠点が改善可能と考え、鋭意検討を重ねた結果、合理的設計で上記の課題を効果的に改善する本考案の提案に到った。
【０００６】
かかる従来の実情に鑑みて、本考案は、使用される鍋がその鍋蓋の上方の空間を利用して同時に他の具材を調理可能にする組み合わせ式ふたを提供することを目的とする。
【課題を解決するための手段】
【０００７】
上述した課題を解決し、上記目的を達成するための本考案は、対応し合って開閉する第一蓋体及び第二蓋体を有する。前記第一蓋体は、その中心箇所に前記第二蓋体に対応するように嵌接される第一嵌接口が設置される。前記第二蓋体は、その底部に前記第一嵌接口に対応するように嵌入される少なくとも１つの第一嵌接部が設けられ、前記第一嵌接部に対する外側の位置には前記第一蓋体に密接する少なくとも１つの結合部が形成される。
【０００８】
本考案の組み合わせ式ふたは、鍋の標準付属品またはオプション付属品の形態で販売される。使用においては、第一蓋体が対応する鍋に直接載置され、実際の需要に応じて第二蓋体により第一蓋体の第一嵌接口が蓋をされ、鍋が本来有する空間を利用して具材の調理が行われる。または、他の調理容器が第一蓋体の第一嵌接口箇所に載嵌され、使用される鍋が、鍋蓋の上方の空間を利用して同時に他の具材を調理可能にする目的を達成させる。
【０００９】
さらに、前記組み合わせ式ふたは少なくとも１つの調理容器を更に有する。前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられる。
【００１０】
さらに、前記第一蓋体は前記第一嵌接口の外囲に対する部位に前記第二蓋体をロックさせるための複数の留め具が設置される。
【００１１】
さらに、前記第一蓋体はその外縁箇所に複数のフック部が凸設される。
【００１２】
さらに、前記第一蓋体は前記第一嵌接口の外囲に対する部位に前記第二蓋体をロックさせるための複数の留め具が設置され、且つ前記第一蓋体はその外縁箇所に複数のフック部が凸設される。
【００１３】
さらに、前記組み合わせ式ふたは少なくとも１つの調理容器を更に有する。前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられる。前記第一蓋体は前記第一嵌接口の外囲に対する部位に前記第二蓋体をロックさせるための複数の留め具が設置される。
【００１４】
さらに、前記組み合わせ式ふたは少なくとも１つの調理容器を更に有する。前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられる。前記第一蓋体はその外縁箇所に複数のフック部が凸設される。
【００１５】
さらに、前記組み合わせ式ふたは少なくとも１つの調理容器を更に有する。前記調理容器の上部には前記少なくとも１つの第一嵌接部が対応するように嵌入される第二嵌接口が設けられ、前記少なくとも１つの調理容器の底部には前記第一嵌接口に対応するように嵌入される少なくとも１つの第二嵌接部が設けられ、前記少なくとも１つの調理容器の底面には少なくとも１つの孔部が設けられる。前記第一蓋体は前記第一嵌接口の外囲に対する部位に前記第二蓋体をロックさせるための複数の留め具が設置され、且つ前記第一蓋体はその外縁箇所に複数のフック部が凸設される。
【００１６】
さらに、前記第二蓋体の中央箇所にはつまみが設置される。
【００１７】
さらに、前記第二蓋体は透明部材及び前記透明部材の外縁を包囲させる金属部材で構成される。前記少なくとも１つの第一嵌接部及び前記少なくとも１つの結合部は前記金属部材の箇所に設けられ、前記透明部材の中央箇所にはつまみが設置される。
【考案の効果】
【００１８】
本考案に記載の組み合わせ式ふたは、主に第一蓋体及び第二蓋体の組み合わせ式の設計を利用し、第一蓋体が対応する鍋に直接載置され、第二蓋体により第一蓋体の第一嵌接口が蓋をされ、鍋が本来有する空間を利用して具材が調理される。または、他の鍋が第一蓋体の第一嵌接口箇所に載嵌され、使用される鍋が、その鍋蓋の上方の空間を利用して、同時に他の具材を調理可能にする目的を達成させる。
【図面の簡単な説明】
【００１９】
【図１】本考案の第１実施形態に係る組み合わせ式ふたを示す外観斜視図である。
【図２】本考案の第１実施形態における第一蓋体及び第二蓋体が結合される前を示す構成の概略図である。
【図３】本考案の第１実施形態における第一蓋体及び第二蓋体が結合される前を示す構成の断面図である。
【図４】本考案の第１実施形態に係る組み合わせ式ふたが第二蓋体により第一蓋体の第一嵌接口が蓋をされる使用状態図である。
【図５】本考案の第１実施形態に係る組み合わせ式ふたが他の小さいポットにより第一蓋体の第一嵌接口に載嵌される使用状態図である。
【図６】本考案の第２実施形態における第一蓋体、第二蓋体及び蒸し器が結合される前を示す構成の断面図である。
【図７】本考案の第３実施形態に係る組み合わせ式ふたを示す構成の上面図である。
【図８】本考案の留め具及び第二蓋体がロック状態にする部分を示す拡大概略図である。
【図９】本考案の留め具及び第二蓋体がロック解除状態にする部分を示す拡大概略図である。
【図１０】本考案の第４実施形態における第一蓋体及び第二蓋体が結合される前を示す構成の断面図である。
【図１１】本考案の第４実施形態に係る組み合わせ式ふたが実施可能な使用状態を示す概略図である。
【図１２】本考案の第５実施形態に係る組み合わせ式ふたを示す上面図である。
【考案を実施するための形態】
【００２０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施形態】
【００２１】
以下に、図１〜１２を参照しながら、本考案をさらに詳しく説明する。本考案は、主に使用される鍋が、その鍋蓋の上方の空間を利用して、同時に他の具材を調理可能にする組み合わせ式ふたを提供する。本考案の組み合わせ式ふたは、対応し合って開閉する第一蓋体１０及び第二蓋体２０を有する（図１乃至図３参照）。
【００２２】
前記第一蓋体１０は円環状を呈し、その中心箇所には前記第二蓋体２０が対応するように嵌接される第一嵌接口１１が設けられる。実施形態において、前記第一蓋体１０は鉄、アルミニウム、銅、ステンレス等の金属または合金で加工成型され、且つ外縁及び第一嵌接口１１の辺縁全体に対応するように縁巻き部１２が設けられる。これにより、第一蓋体１０全体の形態の信頼性が増し、より堅固になり、第一蓋体１０の薄型化及び軽量化に有利な設計となる。
【００２３】
前記第二蓋体２０は円盤状を呈し、その底部には前記第一嵌接口１１に対応するように嵌入される少なくとも１つの第一嵌接部２２１が設けられる。前記第一嵌接部２２１の外側に対する位置には前記第一蓋体１０に密接する少なくとも１つの結合部２２２が形成される。
【００２４】
原則上、本考案の組み合わせ式ふたは、使用において、図４及び図５に示すように、第一蓋体２０が対応する鍋４０に直接載置され、且つ需要に応じて、第二蓋体２０により第一蓋体１０の第一嵌接口１１が蓋をされ（図４参照）、鍋が本来有する空間を利用して具材の調理が行われる。
【００２５】
または、図５に示すように、他の調理容器５０が第一蓋体１０の第一嵌接口１１箇所に載嵌される。第一蓋体１０の第一嵌接口１１箇所に載嵌される調理容器５０は底部に孔部が設けられる蒸し鍋または蒸し器である。または、好ましい導熱効果を有するスープ鍋やスーププレートでもよく、実際の需要に応じて第二蓋体２０により調理容器５０が蓋をされ、或いは調理容器５０が本来有する鍋蓋（図示せず） により調理容器５０が蓋をされて使用される。これにより、使用される鍋４０が、その鍋蓋の上方の空間を利用して、同時に他の具材を調理可能にする目的を達成させる。
【００２６】
ちなみに、本考案の組み合わせ式ふたは、鍋（例えば、電気調理鍋）の標準付属品となる商品形態で鍋と一緒に販売されるか、従来の鍋蓋を代替させる。このため、別途付属品として購入するコストがかからない。または、オプション付属品の商品形態で単独で販売され、消費者が所有している鍋に組み合わせて使用可能となる。且つ、常態では組み合わせ式ふたの高さは一般的な鍋蓋と同様となり、収納が不便にならず、収納のための空間も過剰に占領しない。
【００２７】
本考案の組み合わせ式ふたは、図６に示すように、少なくとも１つの調理容器３０としての商品形態を更に有する。前記調理容器３０の上部には前記少なくとも１つの第一嵌接部２２１が対応するように嵌入される第二嵌接口３１が設けられ、前記少なくとも１つの調理容器３０の底部には前記第一嵌接口１１に対応するように嵌入される少なくとも１つの第二嵌接部３２が設けられ、前記少なくとも１つの調理容器３０の底面には少なくとも１つの孔部３３が設けられる。これにより、構造がより堅固になり、信頼性が高まり、且つ実用性及び利便性が向上する組み合わせ式ふたが得られる。
【００２８】
また、図７乃至図９に示すように、本考案の組み合わせ式ふたは実施において、前記第一蓋体１１は前記第一嵌接口１１の外囲に対する部位に前記第二蓋体２０をロックさせるための複数の留め具１３が更に設置される。各前記留め具１３は前記第二蓋体２０に係合される係合体１３１、及び前記係合体１３１及び前記第二蓋体２０をロック状態またはロック解除状態にするためのパッキンつまみ１３２を有する。留め具１３及び第二蓋体２０のロック作用により、第二蓋体２０及び第一蓋体１０が堅固に結合され、組み合わせ式ふた全体の利便性が向上する。
【００２９】
図１０及び図１１に示すように、本考案の組み合わせ式ふたは実施において、前記第一蓋体１０はその外縁箇所に複数のフック部１４が更に凸設される。使用において、フック部１４が使用される鍋６０（特にフライパンまたは平鍋）の鍋の縁に係合される方式で使用される。
【００３０】
鍋６０を使用して食物を揚げる場合、第一蓋体１０が単独で鍋６０に載嵌され、第一蓋体１０による包囲効果を利用して、熱された油が飛び散る事態を防止させる。特に、フック部１４の設計により、第一蓋体１０が使用される鍋６０に堅固に載置され、組み合わせ式ふた全体の使用上の安定性が高まる。
【００３１】
当然ながら、本考案の組み合わせ式ふたは実施において、図１２に示すように、すなわち、前記第一蓋体１１は前記第一嵌接口１１の外囲に対する部位に前記第二蓋体２０をロックさせるための複数の留め具１３が更に設置され、前記第一蓋体１０はその外縁箇所に複数のフック部１４が凸設される構造形態が好ましい。
【００３２】
同様に、本考案の組み合わせ式ふたは、少なくとも１つの調理容器３０を有し、前記調理容器３０の上部には前記少なくとも１つの第一嵌接部２２１が対応するように嵌入される第二嵌接口３１が設けられ、前記少なくとも１つの調理容器３０の底部には前記第一嵌接口１１に対応するように嵌入される少なくとも１つの第二嵌接部３２が設けられ、前記少なくとも１つの調理容器３０の底面には少なくとも１つの孔部３３が設けられる実施形態において、前記第一蓋体１０には前記第一嵌接口１１の外囲に対する部位に、前記第二蓋体２０をロックさせるための複数の留め具１３が設置される（図７参照）。
【００３３】
さらに、本考案の組み合わせ式ふたは、少なくとも１つの調理容器３０を有し、前記調理容器３０の上部には前記少なくとも１つの第一嵌接部２２１が対応するように嵌入される第二嵌接口３１が設けられ、前記少なくとも１つの調理容器３０の底部には前記第一嵌接口１１に対応するように嵌入される少なくとも１つの第二嵌接部３２が設けられ、前記少なくとも１つの調理容器３０の底面には少なくとも１つの孔部３３が設けられる実施形態において、前記第一蓋体１０にはその外縁箇所に複数のフック部１４が凸設されてもよい（図１０参照）。
【００３４】
当然ながら、本考案の組み合わせ式ふたは、少なくとも１つの調理容器３０を有し、前記調理容器３０の上部には前記少なくとも１つの第一嵌接部２２１が対応するように嵌入される第二嵌接口３１が設けられ、前記少なくとも１つの調理容器３０の底部には前記第一嵌接口１１に対応するように嵌入される少なくとも１つの第二嵌接部３２が設けられ、前記少なくとも１つの調理容器３０の底面には少なくとも１つの孔部３３が設けられる実施形態において、前記第一蓋体１０は前記第一嵌接口１１の外囲に対する部位に、前記第二蓋体２０をロックさせるための複数の留め具１３が更に設置され（図７参照）、前記第一蓋体１０はその外縁箇所に複数のフック部１４が凸設される（図１０参照）構造形態が最も好ましい。
【００３５】
本考案の組み合わせ式ふたは、上述の各種実施可能な構造形態において、前記第二蓋体２０の中央箇所につまみ２３が設置されて、つまみ２３の設計により組み合わせ式ふたの利便性が向上する。
【００３６】
本考案の組み合わせ式ふたは、上述の各種実施可能な構造形態において、前記第二蓋体２０は透明部材２１及び前記透明部材２１の外縁を包囲させる金属部材２２で構成され、前記少なくとも１つの第一嵌接部２２１及び前記少なくとも１つの結合部２２２が前記金属部材２２の箇所に設けられ、且つ前記透明部材２１の中央箇所につまみ２３が設置されることにより、透明部材２１により蓋に覆われた具材の煮込み状況が観察可能になる。また、つまみ２３の設計により、組み合わせ式ふた全体の利便性が向上する。
【００３７】
具体的には、本考案の組み合わせ式ふたは、鍋の標準付属品またはオプション付属品の形態で販売される。主に第一蓋体及び第二蓋体の組み合わせ式の設計を利用し、第一蓋体が対応する鍋に直接載置され、第二蓋体により第一蓋体の第一嵌接口が蓋をされ、鍋が本来有する空間を利用して具材を調理可能になる。または、他の鍋が第一蓋体の第一嵌接口箇所に載嵌され、使用される鍋が、その鍋蓋の上方の空間を利用して、同時に他の具材を調理可能にする目的を達成させる。
【００３８】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００３９】
１０  第一蓋体
１１  第一嵌接口
１２  縁巻き部
１３  留め具
１３１  係合体
１３２  パッキンつまみ
１４  フック部
２０  第二蓋体
２１  透明部材
２２  金属部材
２２１  第一嵌接部
２２２  結合部
２３  つまみ
３０  調理容器
３１  第二嵌接口
３２  第二嵌接部
３３  孔部
４０  鍋
５０  調理容器
６０  鍋
【図１】
0003212832.tif 000003
【図２】
0003212832.tif 000004
【図３】
0003212832.tif 000005
【図４】
0003212832.tif 000006
【図５】
0003212832.tif 000007
【図６】
0003212832.tif 000008
【図７】
0003212832.tif 000009
【図８】
0003212832.tif 000010
【図９】
0003212832.tif 000011
【図１０】
0003212832.tif 000012
【図１１】
0003212832.tif 000013
【図１２】
0003212832.tif 000014